(57)【要約】【課題】画像形成装置等の表示部に表示されているウェブページの文字記号入力領域に対して文字記号を入力する際におけるユーザにとっての操作性を向上させる。【解決手段】画像を表示する表示部と、ウェブブラウザ機能部５２２１とを備え、ウェブブラウザ機能部５２２１は、表示中のウェブページに文字記号入力領域を示す画像が表示されている場合に、ユーザから文字記号の入力を受け付けるための文字記号受付画像を表示させる表示指示を受け付ける表示指示受付部５２２４と、表示指示受付部５２２４に表示指示が受け付けられたときに、文字記号受付画像を表示部の表示画面においてウェブページの文字記号入力領域を示す画像の表示領域以外に表示させる画像表示制御部５２２５と、ユーザによる当該文字記号受付画像に基づく操作で、文字記号の入力を受け付ける入力受付部５２２６とを備える。【選択図】図３
2010128993.tif 000002
【特許請求の範囲】
【請求項１】
画像を表示する表示部と、
前記表示部にウェブページを表示させるウェブブラウザ機能部とを備え、
前記ウェブブラウザ機能部は、表示中のウェブページに文字記号入力領域を示す画像が表示されている場合に、ユーザによる予め定められた操作に基づいて、文字記号の入力を受け付けるための文字記号受付画像を前記表示部に表示させる表示指示をタッチパネル機能により受け付ける表示指示受付部と、当該表示指示受付部に前記表示指示が受け付けられたときに、前記文字記号受付画像を、前記表示部の表示画面において前記ウェブページの文字記号入力領域を示す画像の表示領域以外に表示させる画像表示制御部と、ユーザによる当該文字記号受付画像に基づく操作で、文字記号の入力をタッチパネル機能により受け付ける入力受付部とを備える表示制御装置。
【請求項２】
前記表示指示受付部は、前記表示部の表示画面における前記文字記号入力領域を示す画像の表示部分に対するユーザによる操作を、前記予め定められた操作として、前記文字記号受付画像の表示指示を受け付ける請求項１に記載の表示制御装置。
【請求項３】
前記画像表示制御部は、前記ウェブページにおいて文字記号入力領域を示す画像の表示領域以外の領域を算出し、予め定められた前記文字記号受付画像を、当該算出した領域内で表示可能な最大の大きさに拡縮して表示させる請求項１又は請求項２に記載の表示制御装置。
【請求項４】
前記ウェブブラウザ機能部は、前記入力受付部に受け付けられた文字記号を、前記文字記号入力領域に表示させるウェブ表示制御部を更に備える請求項１乃至請求項３のいずれかに記載の表示制御装置。
【請求項５】
プリント対象データに基づいて記録紙に画像を記録する記録部と、
請求項１乃至請求項４のいずれかに記載の表示制御装置とを備えた画像形成装置。
【請求項６】
表示制御装置に内蔵されるコンピュータを、
前記表示制御装置の表示部にウェブページを表示させるウェブブラウザ機能部として機能させ、
さらに、前記ウェブブラウザ機能部を、画像を表示する表示部と、
前記表示部にウェブページを表示させるウェブブラウザ機能部とを備え、
前記ウェブブラウザ機能部は、表示中のウェブページに文字記号入力領域を示す画像が表示されている場合に、ユーザによる予め定められた操作に基づいて、文字記号の入力を受け付けるための文字記号受付画像を前記表示部に表示させる表示指示をタッチパネル機能により受け付ける表示指示受付部と、当該表示指示受付部に前記表示指示が受け付けられたときに、前記文字記号受付画像を、前記表示部の表示画面において前記ウェブページの文字記号入力領域を示す画像の表示領域以外に表示させる画像表示制御部と、ユーザによる当該文字記号受付画像に基づく操作で、文字記号の入力をタッチパネル機能により受け付ける入力受付部として機能させる表示制御プログラム。
【発明の詳細な説明】
【技術分野】
【０００１】
本発明は、表示制御装置、画像形成装置、及び表示制御プログラムに関し、特に、ウェブページを表示部に表示する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内等を表示するために、ＬＣＤ（Liquid Crystal Display）等からなる表示部が設けられている。また、下記特許文献１に示されるように、インターネット上のウェブページを表示するウェブブラウザを組み込み、画像形成装置の表示部にウェブコンテンツを表示したり、表示したウェブコンテンツの印刷を可能にする画像形成装置が提案されている。
【特許文献１】特開２００６−１４６３１５号公報
【発明の開示】
【発明が解決しようとする課題】
【０００３】
上記特許文献１に示されている画像形成装置のように表示部にウェブページを表示させる場合、当該ウェブページで提供されるキーワード検索機能等を利用するために、文字記号を入力する必要が生じることがあるが、画像形成装置はパーソナルコンピュータのようなキーボードを備えておらず、また、画像形成装置に設けられる表示部はパーソナルコンピュータのような大型でない場合も多いため、文字記号入力時にユーザに対して面倒な操作が要求されることがあり、文字記号入力時の操作性を向上させるための改善が望まれる。上記特許文献１に示されている画像形成装置は、パスワード認証により、装置内のキャッシュに蓄積されているコンテンツデータの表示部への表示を許可するものであるが、文字記号入力時の操作性を改善するものではない。
【０００４】
本発明は、上記の問題を解決するためになされたもので、画像形成装置等の表示部に表示されているウェブページの文字記号入力領域に対して文字記号を入力する際におけるユーザにとっての操作性を向上させることを目的とする。
【課題を解決するための手段】
【０００５】
本発明の請求項１に記載の発明は、画像を表示する表示部と、
前記表示部にウェブページを表示させるウェブブラウザ機能部とを備え、
前記ウェブブラウザ機能部は、表示中のウェブページに文字記号入力領域を示す画像が表示されている場合に、ユーザによる予め定められた操作に基づいて、文字記号の入力を受け付けるための文字記号受付画像を前記表示部に表示させる表示指示をタッチパネル機能により受け付ける表示指示受付部と、当該表示指示受付部に前記表示指示が受け付けられたときに、前記文字記号受付画像を、前記表示部の表示画面において前記ウェブページの文字記号入力領域を示す画像の表示領域以外に表示させる画像表示制御部と、ユーザによる当該文字記号受付画像に基づく操作で、文字記号の入力をタッチパネル機能により受け付ける入力受付部とを備える表示制御装置である。
【０００６】
また、請求項６に記載の発明は、表示制御装置に内蔵されるコンピュータを、
前記表示制御装置の表示部にウェブページを表示させるウェブブラウザ機能部として機能させ、
さらに、前記ウェブブラウザ機能部を、画像を表示する表示部と、
前記表示部にウェブページを表示させるウェブブラウザ機能部とを備え、
前記ウェブブラウザ機能部は、表示中のウェブページに文字記号入力領域を示す画像が表示されている場合に、ユーザによる予め定められた操作に基づいて、文字記号の入力を受け付けるための文字記号受付画像を前記表示部に表示させる表示指示をタッチパネル機能により受け付ける表示指示受付部と、当該表示指示受付部に前記表示指示が受け付けられたときに、前記文字記号受付画像を、前記表示部の表示画面において前記ウェブページの文字記号入力領域を示す画像の表示領域以外に表示させる画像表示制御部と、ユーザによる当該文字記号受付画像に基づく操作で、文字記号の入力をタッチパネル機能により受け付ける入力受付部として機能させる表示制御プログラムである。
【０００７】
これらの発明では、表示指示受付部が、表示中のウェブページに文字記号入力領域を示す画像が表示されている場合に、ユーザによる予め定められた操作に基づいて文字記号受付画像を表示させる表示指示を受け付けるので、ユーザは、当該予め定められた操作を行うことで、表示中のウェブページに文字記号を入力する機会がある場合に限り、表示部に文字記号受付画像を表示させることができ、文字記号の入力が不要なときに不用意に文字記号受付画像が表示されてしまう煩わしさを回避できる。また、画像表示制御部は、文字記号受付画像を、ウェブページの文字記号入力領域を示す画像の表示領域以外に表示させ、当該表示状態において、ユーザが文字記号受付画像に基づく操作を行うと、文字記号の入力が入力受付部に受け付けられるので、ユーザは、ウェブページの文字記号入力領域を視認しながら文字記号を入力できる。これにより、画像形成装置等の表示部に表示されているウェブページの文字記号入力領域に文字記号を入力する際の操作性が向上される。
【０００８】
また、請求項２に記載の発明は、請求項１に記載の表示制御装置であって、前記表示指示受付部は、前記表示部の表示画面における前記文字記号入力領域を示す画像の表示部分に対するユーザによる操作を、前記予め定められた操作として、前記文字記号受付画像の表示指示を受け付けるものである。
【０００９】
この発明によれば、ユーザが、表示部の表示画面において、表示中のウェブページの文字記号入力領域を示す画像の表示部分を指等で触る等の操作を行うと、表示指示受付部により文字記号受付画像の表示指示が受け付けられ、画像表示制御部により文字記号受付画像が表示部に表示されるので、ユーザは、文字記号受付画像の表示指示の入力に必要な操作を直感的に把握し、簡単な操作で文字記号受付画像を表示部に表示させることができる。
【００１０】
また、請求項３に記載の発明は、請求項１又は請求項２に記載の表示制御装置であって、前記画像表示制御部は、前記ウェブページにおいて文字記号入力領域を示す画像の表示領域以外の領域を算出し、予め定められた前記文字記号受付画像を、当該算出した領域内で表示可能な最大の大きさに拡縮して表示させるものである。
【００１１】
この発明によれば、画像表示制御部により、ウェブページの文字記号入力領域を示す画像を避けた領域に最大の大きさで文字記号受付画像が表示されるので、ウェブページの文字記号入力領域に、文字記号を入力する際におけるユーザにとっての操作性が更に向上される。
【００１２】
また、請求項４に記載の発明は、請求項１乃至請求項３のいずれかに記載の表示制御装置であって、前記ウェブブラウザ機能部は、前記入力受付部に受け付けられた文字記号を、前記文字記号入力領域に表示させるウェブ表示制御部を更に備えるものである。
【００１３】
この発明によれば、画像表示制御部が、文字記号受付画像を、ウェブページの文字記号入力領域を示す画像の表示領域以外に表示させると共に、ウェブ表示制御部が、入力受付部に受け付けられた文字記号を文字記号入力領域に表示させるので、ユーザは、ウェブページの文字記号入力領域において、自らの操作で入力済みの文字記号を視認しながら文字記号を入力する操作を行うことができる。
【００１４】
また、請求項５に記載の発明は、プリント対象データに基づいて記録紙に画像を記録する記録部と、
請求項１乃至請求項４のいずれかに記載の表示制御装置とを備えた画像形成装置である。
【００１５】
この発明によれば、請求項１乃至請求項４のいずれかに記載の発明が奏する作用を得ることができる。
【発明の効果】
【００１６】
本発明によれば、画像形成装置等の表示部に表示されているウェブページの文字記号入力領域に対して文字記号を入力する際におけるユーザにとっての操作性を向上させることができる。
【発明を実施するための最良の形態】
【００１７】
以下、本発明に係る表示制御装置を備える画像形成装置の実施形態を説明する。図１は、本発明に係る表示制御装置を備える画像形成装置の一実施形態である複合機の構成を示す側面概略図である。
【００１８】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部と、原稿読み取り部５００の上部に配設された原稿給送部６００とから構成される。
【００１９】
操作部４００は、ＬＣＤ（Liquid Crystal Display）等からなる表示部４１０と、ユーザから操作指示が入力される操作キー部４３０を備える。操作キー部４３０は、スタートキー及びテンキー等を備える。
【００２０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、複合機１の制御ブロック図である。複合機１は、スキャナ部１１、画像処理部２１、記録部３１、操作部４００、制御ユニット５０、ネットワークインタフェイス（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークインタフェイス部７１は、ネットワークインタフェイス等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー部）をタッチすることで種々の機能の実行指令を入力することが可能である。操作キー部４３０は、上述のようにスタートキー、テンキー等を有する。
【００３１】
制御ユニット５０は、制御部５２と、表示画像データ記憶部５３とを備える。
【００３２】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３３】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３４】
メインコントローラユニット５２１は、動作制御部５２１１と、プロキシサーバ５２１３とを備える。
【００３５】
動作制御部５２１１は、複合機１の各部（スキャナ部１１，画像処理部２１、記録部３１等）の動作制御を司る。
【００３６】
プロキシサーバ５２１３は、ウェブブラウザ機能部５２２１とインターネット網の間に介在してインターネットとの接続を行なう。プロキシサーバ５２１３は、イーサネット等を介してインターネットに接続する。
【００３７】
表示制御ユニット５２２は、ウェブブラウザ機能部５２２１と、パネルアプリケーション５２２２とを備える。
【００３８】
ウェブブラウザ機能部５２２１は、表示部４１０にインターネット上のウェブページを表示させるために必要な処理等を実行する。
【００３９】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４０】
また、ウェブブラウザ機能部５２２１は、ウェブ表示制御部５２２３と、表示指示受付部５２２４と、画像表示制御部５２２５と、入力受付部５２２６とを有している。
【００４１】
ウェブ表示制御部５２２３は、表示部４１０にウェブページを表示させるために必要な処理を行う。
【００４２】
表示指示受付部５２２４は、ウェブ表示制御部５２２３によって表示部４１０に表示されているウェブページに、文字記号入力領域を示す画像（例えば、後述する図６のウェブページ表示画面４１０３内に表示されている検索キーワードの入力を受け付けるための画像Ｂ３等）が表示されている場合に、ユーザによる予め定められた操作に基づいて、文字記号受付画面４１０５（図７，図８）を表示部４１０に表示させる表示指示をタッチパネル機能によりユーザから受け付ける。当該予め定められた操作とは、例えば、表示部４１０の表示画面におけるウェブページ内の文字記号入力領域の画像が表示されている部分にユーザが指等で接触する等の操作である。但し、特許請求の範囲でいう当該予め定められた操作を、文字記号入力領域の表示部分にユーザが指で接触する操作に限定する趣旨ではない。例えば、ウェブ表示制御部５２２３が表示部４１０に画像表示受付画像Ｂ５をウェブページ表示画面外などに表示させ、ユーザが当該画像表示受付画像Ｂ５に触れる等の操作を行ったときに、タッチパネル機能により表示指示受付部５２２４が文字記号受付画面４１０５の表示指示を受け付けるようにしてもよい。
【００４３】
画像表示制御部５２２５は、表示指示受付部５２２４に上記表示指示が受け付けられたときに、上記文字記号受付画像を、表示部４１０の表示画面においてウェブページ内の文字記号入力領域を示す画像の表示領域以外の領域に表示させる。
【００４４】
入力受付部５２２６は、ユーザによる上記文字記号受付画像に基づく操作（例えば、ユーザが指等で当該文字記号受付画像に触れる又は押圧する等の操作）により、文字記号の入力をタッチパネル機能により受け付ける入力受付部とを備える。
【００４５】
なお、上記ウェブ表示制御部５２２３は、ユーザの操作で入力受付部５２２６に受け付けられた文字記号を、表示部４１０に表示中のウェブページ内の文字記号入力領域に表示させると共に、表示部４１０に表示中のウェブページのサイトに送信する。
【００４６】
本発明の一実施形態に係る表示制御装置は、例えば、制御ユニット５０及び表示部４１０を備えてなる。
【００４７】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ機能部５２２１として機能してもよいし、これに加えて更に、制御部５２が、パネルアプリケーション５２２２、動作制御部５２１１及びプロキシサーバ５２１３としても機能するものであってもよい。
【００４８】
次に、複合機１における表示部４１０の表示制御の第１実施形態を説明する。図４は複合機１における表示部４１０の表示制御の第１実施形を示すフローチャートである。図５は初期操作画面の例を示す図である。図６はウェブページ表示画面の例を示す図である。図７及び図８は文字記号受付画像（キーボード画面）の表示例を示す図である。図９は、ウェブページ上に文字記号入力受付画面を表示した例を示す図である。
【００４９】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１１）。この初期画面４１０１は、図５に示すように、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ機能部５２２１や動作制御部５２１１等に受け付けられる。
【００５０】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１１でＹＥＳ）、動作制御部５２１１は、指示された動作、例えばコピー動作を実行する（Ｓ１２）。なお、操作部４００がユーザからいずれの動作実行指示も受け付けない場合は（Ｓ１１でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５１】
一方、ユーザにより、初期画面４１０１において、ブラウザキー１０５が押下され、タッチパネル機能によりウェブ表示制御部５２２３にウェブページ表示指示が受け付けられた場合は（Ｓ３でＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブ表示制御部５２２３は、パネルアプリケーション５２２２によって表示部４１０に表示されている初期画面４１０１を、上記ウェブページ表示画面４１０３に切り換える。
【００５２】
また、ウェブ表示制御部５２２３は、ウェブページ表示画面４１０３に、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、ユーザが指で触れやすい程度の大きさに設定されている。
【００５３】
なお、図４には図示していないが、ウェブ表示制御部５２２３が、ウェブページ表示画面４１０３を表示部４１０に表示させているときに、ユーザにより画面クローズボタンＢ２が押下され、タッチパネル機能により画面クローズ指示がウェブ表示制御部５２２３に受け付けられると、ウェブ表示制御部５２２３は当該ウェブページ表示画面４１０３の表示を中止し、パネルアプリケーション５２２２による上記初期操作画面４１０１の表示処理（Ｓ２）に移行する。
【００５４】
このようにウェブページ表示画面４１０３が表示部４１０に表示されているとき、表示指示受付部５２２４は、当該表示中のウェブページ表示画面４１０３内に、例えば図６に示すような文字記号入力領域を示す画像Ｂ３（以下、文字記号入力欄Ｂ３と表記する）が表示されているか否かを判断する（Ｓ５）。ウェブページ内における文字記号入力欄Ｂ３の認識方法は、例えば公知の技術を採用する。
【００５５】
ここで、表示指示受付部５２２４が、当該表示中のウェブページ表示画面４１０３内に文字記号入力欄Ｂ３が表示されていると判断した場合（Ｓ５でＹＥＳ）、表示指示受付部５２２４は、表示部４１０の表示画面におけるウェブページ内の文字記号入力欄Ｂ３の表示部分にユーザが指等で接触したか否かを判断する（Ｓ６）。当該ユーザによる文字記号入力欄Ｂ３への接触操作の有無の判断方法は、文字記号入力欄Ｂ３の表示領域を示す座標範囲内へのユーザの接触がタッチパネル機能により検出されるか否かを判断する等の手法で行われる。
【００５６】
そして、表示指示受付部５２２４が、表示部４１０の表示画面におけるウェブページ内の文字記号入力欄Ｂ３の表示部分にユーザが指等で接触したと判断した場合（Ｓ６でＹＥＳ）、画像表示制御部５２２５は、図７又は図８に示す文字記号受付画面４１０５を表示させる領域を算出する（Ｓ７）。すなわち、画像表示制御部５２２５は、表示部４１０に表示中のウェブページ内における文字記号入力欄Ｂ３の表示領域以外の領域からなる受付画像表示候補領域を示す座標情報を取得し、当該座標情報が示す受付画像表示候補領域を、文字記号受付画面４１０５を表示可能な領域として算出する。
【００５７】
画像表示制御部５２２５は、予め定められた大きさの画像データからなる文字記号受付画面４１０５を、表示部４１０に表示されているウェブページ上であって、上記算出された座標が示す受付画像表示候補領域に表示させる（Ｓ８）。当該予め定められた大きさとは、例えば、文字記号受付画面４１０５を表示部４１０に表示させたときに、図７に示すように、ウェブページ表示画面４１０３の判断以下の高さに文字記号受付画面４１０５が収まる程度に表示部４１０に表示される大きさである。
【００５８】
なお、ユーザによるスクロールバーＢ１の操作により文字記号入力欄Ｂ３がウェブページ表示画面４１０３の中心付近に位置する表示状態となっているとき等であって、画像表示制御部５２２５が、Ｓ７で算出した受付画像表示候補領域内に、文字記号受付画面４１０５が収まらないと判断した場合、画像表示制御部５２２５は、表示部４１０に、ユーザに対してスクロールバーＢ１の操作により文字記号入力欄Ｂ３をウェブページ表示画面４１０３内の上端又は下端付近に移動させる旨のメッセージを表示させるようにしてもよい。なお、文字記号受付画面４１０５は、文字記号受付画像の一例であり、図７及び図８に示すように、キーボードを示す画像からなるキーボード画面である。
【００５９】
画像表示制御部５２２５が、表示部４１０に当該文字記号受付画面４１０５を表示させているときに、ユーザが当該文字記号受付画面４１０５に表示されている各文字キー表示部分を押下すると、タッチパネル機能により、押下された箇所の文字キーに対応付けられた文字又は記号の入力を、文字記号入力欄Ｂ３に入力させる文字記号列として、入力受付部５２２６が受け付ける（Ｓ９でＹＥＳ）。画像表示制御部５２２５は、当該入力を受け付けた文字記号列を、表示部４１０に表示中の文字記号入力欄Ｂ３内に順次表示させる（Ｓ１０）。
【００６０】
なお、文字記号受付画面４１０５は、例えば、図７に示す大文字入力画面Ｇ４０と図８に示す小文字入力画面Ｇ４０’とを有している。例えば、画像表示制御部５２２５は、文字記号受付画面４１０５の表示時に、初期画面として大文字入力画面Ｇ４０を最初に表示部４１０に表示する。この大文字入力画面Ｇ４０において「小文字」ボタンＧ４４がユーザにより押下され、タッチパネル機能により画像表示制御部５２２５に画面切替指示が受け付けられると、画像表示制御部５２２５は、表示部４１０の表示画面を小文字入力画面Ｇ４０’に切り替える。また、この小文字入力画面Ｇ４０’において「大文字」ボタンＧ４３がユーザにより押下され、タッチパネル機能により画像表示制御部５２２５に画面切替指示が受け付けられると、画像表示制御部５２２５は、表示部４１０の表示画面を大文字入力画面Ｇ４０に切り替える。
【００６１】
大文字入力画面Ｇ４０及び小文字入力画面Ｇ４０’では、ユーザにより入力文字ボタンＧ４１が押下され、タッチパネル機能により画像表示制御部５２２５に入力文字切替指示が受け付けられると、画像表示制御部５２２５は、入力文字ボタンＧ４１から下方に向けて、入力文字各種を示す項目が並んでなる入力文字メニューボタンＰ１をプルダウン表示する。また、ユーザにより文字入力方式切替ボタンＧ４２が押下され、タッチパネル機能により画像表示制御部５２２５に文字入力方式切替指示が受け付けられると、画像表示制御部５２２５は、文字入力方式切替ボタンＧ４２から下方に向けて、文字入力方式各種を示す項目が並んでなる入力方式メニューボタンＰ２をプルダウン表示する。
【００６２】
さらに、入力受付部５２２６は、Ｓ９で受け付けられた文字記号を順次に当該ウェブページのサイトに送信しておき（Ｓ１０）、上記確定時に確定信号等を当該ウェブサイトに送り、入力された文字記号が、当該ウェブページのサイトにおいて検索対象キーワードとして用いられることが可能となる状態にする。なお、入力受付部５２２６は、ユーザにより大文字入力画面Ｇ４０又は小文字入力画面Ｇ４０’の「OK」ボタンＧ４５が操作されると、タッチパネル機能により、この時点で入力を受け付けている文字記号列を、文字記号入力欄Ｂ３に入力する文字記号列として確定させ、表示部４１０に表示中のウェブページのURLに基づいて、当該確定した文字記号列をメインコントローラユニット５２１のプロキシサーバ５１３を介して当該ウェブページのサイトに送信し（Ｓ１０）、当該ウェブページのサイトにおいて検索対象キーワードとして用いられることが可能な状態にするようにしてもよい。
【００６３】
また、上記文字記号列の確定は、ユーザにより「OK」ボタンＧ４５が操作されることなく、画面クローズボタンＧ４７が操作されて当該文字記号受付画面４１０５を閉じる指示が画像表示制御部５２２５に受け付けられた場合に、行われるようにしてもよい。
【００６４】
この後、上記文字記号を受信したウェブサイト（表示部４１０に表示中のウェブページのウェブサイト）は、当該受信した文字記号を用いたウェブ検索等の処理を実行する。
【００６５】
次に、複合機１における表示部４１０の表示制御の第２実施形態を説明する。図１０は複合機１における表示部４１０の表示制御の第２実施形を示すフローチャートである。図１１はウェブページ上に文字記号入力受付画面を表示した例を示す図である。なお、第１実施形態と同様の処理は説明を省略する。
【００６６】
本第２実施形態では、表示指示受付部５２２４が、表示部４１０の表示画面におけるウェブページ内の文字記号入力欄Ｂ３の表示部分にユーザが指等で接触したと判断し（Ｓ２６でＹＥＳ）、画像表示制御部５２２５が、図７又は図８に示す文字記号受付画面４１０５を表示させる表示候補領域を算出した後（Ｓ２７）、画像表示制御部５２２５は、上記予め定められた大きさの画像データからなる文字記号受付画面４１０５を、当該算出した表示候補領域内で表示可能な最大の大きさで表示部４１０に表示されるように拡縮する処理（拡大又は縮小する処理）を行う（Ｓ２８）。この拡縮処理は、上記算出した座標情報が示す表示候補領域内に、当該文字記号受付画面４１０５が収まるように、(1) 文字記号受付画面４１０５の高さ寸法が表示候補領域の高さ寸法に一致するように文字記号受付画面４１０５を拡大又は縮小させる（文字記号受付画面４１０５の縦横比は保持しても変更しても構わない）、(2) 文字記号受付画面４１０５の幅寸法が表示候補領域の幅寸法に一致するように文字記号受付画面４１０５を拡大又は縮小させる（文字記号受付画面４１０５の縦横比は保持しても変更しても構わない）、(3)  文字記号受付画面４１０５の高さ寸法を表示候補領域の高さ寸法に一致させると共に、文字記号受付画面４１０５の幅寸法を表示候補領域の幅寸法に一致させるように、文字記号受付画面４１０５を拡大及び縮小させる（文字記号受付画面４１０５の縦横比は当該拡大縮小に合わせて変更する）、のようにして行う。当該拡縮処理は、文字記号受付画面４１０５の画像データの画像解像度と、表示部４１０のモニタ解像度との関係に基づいて、文字記号受付画面４１０５の画像データの画像解像度を変更すること等により行われる。
【００６７】
画像表示制御部５２２５は、例えば、図１１に示すように、上記算出した表示候補領域内での最大化を行った文字記号受付画面４１０５を、当該表示候補領域内に表示する（Ｓ２９）。
【００６８】
このように文字記号受付画面４１０５を最大化した上で上記表示候補領域内に表示することにより、複合機１に備えることが可能な表示部４１０の表示画面比較的小さい場合であっても、限られた表示領域内を最大限に活用して、ユーザにとってのタッチバネル操作性に優れた文字記号受付画面４１０５の表示を行うことができる。
【００６９】
なお、本発明は上記実施の形態の構成に限られず種々の変形が可能である。例えば、上記実施形態では、上記第１又は第２実施形態では、ウェブブラウザ機能部５２２１が、文字記号受付画面４１０５（文字記号受付画像）の表示指示受付処理、文字記号受付画面４１０５（文字記号受付画像）の表示処理、文字記号受付画面４１０５での操作に基づいた文字記号受付処理、当該受け付けた文字記号の表示処理、及びウェブページ表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ機能部５２２１は、上記各処理を実行可能なアプリケーション又は回路を包含する概念である。
【００７０】
また、上記実施形態では、本発明に係る表示制御装置、画像形成装置、及び表示制御プログラムの実施形態を、図１乃至図１１に示しているが、これらは本発明の一例に過ぎず、本発明の構成又は処理等をこれらに限定する趣旨ではない。
【図面の簡単な説明】
【００７１】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機における表示部の表示制御の第１実施形を示すフローチャートである。
【図５】初期操作画面の例を示す図である。
【図６】ウェブページ表示画面の例を示す図である。
【図７】文字記号受付画像（キーボード画面）の表示例を示す図である。
【図８】文字記号受付画像（キーボード画面）の表示例を示す図である。
【図９】ウェブページ上に文字記号入力受付画面を表示した例を示す図である。
【図１０】複合機における表示部の表示制御の第２実施形を示すフローチャートである。
【図１１】ウェブページ上に文字記号入力受付画面を表示した例を示す図である。
【符号の説明】
【００７２】
１          複合機
４１０      表示部
４１０３    ウェブページ表示画面
４１０５    文字記号受付画面
５２        制御部
５２２      表示制御ユニット
５２１１    動作制御部
５２２１    ウェブブラウザ機能部
５２２３    ウェブ表示制御部
５２２４    表示指示受付部
５２２５    画像表示制御部
５２２６    入力受付部
Ｂ３        文字記号入力欄
Ｂ５        画像表示受付画像
【図１】
2010128993.tif 000003
【図２】
2010128993.tif 000004
【図３】
2010128993.tif 000005
【図４】
2010128993.tif 000006
【図５】
2010128993.tif 000007
【図６】
2010128993.tif 000008
【図７】
2010128993.tif 000009
【図８】
2010128993.tif 000010
【図９】
2010128993.tif 000011
【図１０】
2010128993.tif 000012
【図１１】
2010128993.tif 000013